(57)【要約】【課題】冷蔵庫と接続された情報端末装置において停電復旧時に冷蔵庫本体で報知されている内容と情報端末装置で報知している内容とが不整合が発生すること。【解決手段】情報端末装置２００は、電源部２０３と電池供給部２０４と電源部２０３の電圧を監視する電源監視部２０５と報知部２０６と報知部２０６に異常お知らせ情報を報知する制御部２０７とで構成され停電発生を電源監視部２０５で監視し、停電が発生した場合には報知部２０６で報知している冷蔵庫１００の異常お知らせ画面を消去することによって冷蔵庫１００の異常報知内容と情報端末装置２００の異常報知内容との不整合を防止する。【選択図】図２
2005242860.tif 000002
【特許請求の範囲】
【請求項１】
電気機器と接続される情報端末装置において、前記情報端末装置が、前記情報端末装置に電力を供給する電源部と、前記電源部からの供給が断たれた時に前記情報端末装置に電力を供給する電池供給部と、報知部と、前記電気機器と所定の情報を通信する送受信部と、前記電気機器に異常が発生もしくは解消した場合に前記電気機器から送信される異常に関する情報を前記送受信部が受信した場合に異常発生お知らせ画面を前記報知部に表示されるもしくは消去する制御部とで構成され、前記情報端末装置への電力供給源が切り替わった時に前記制御部が、前記報知部に表示されている前記お知らせ画面を消去する情報端末装置。
【請求項２】
前記電源部から電力の供給が断たれた場合に報知している前記お知らせ画面を消去するか否かを示すお知らせ画面設定情報を記憶する記憶部を備え、前記制御部は前記電源部から電力の供給が断たれた時に前記記憶部から前記画面設定情報を読み出し、前記画面設定情報に基づいて前記お知らせ画面を制御する請求項１に記載の情報端末装置。
【請求項３】
情報端末装置は、前記電気機器と通信可能にするために前記電気機器に識別子を設定する登録部と、前記報知部で報知する異常に関する前記画面設定情報を前記電気機器より取得し、前記記憶部に記憶する第１の設定情報取得部とを備え、前記登録部が前記電気機器に識別子を割り当てると第１の設定情報取得部が、前記報知部で報知する全ての異常に関する前記画面設定情報を前記電気機器より取得し前記記憶部に記憶する請求項２に記載の情報端末装置。
【請求項４】
情報端末装置はサーバー装置と接続され、更に前記電気機器と通信可能にするために前記電気機器に識別子を設定する登録部と、前記報知部で報知する全ての異常に関する前記画面設定情報を前記サーバー装置より取得し、前記記憶部に記憶する第２の設定情報取得部とを備え、前記登録部が前記電気機器に識別子を割り当てると第２の設定情報取得部が、前記報知部で報知する全ての異常に関する前記画面設定情報を前記サーバー装置より取得し前記記憶部に記憶する請求項２に記載の情報端末装置。
【請求項５】
情報端末装置はサーバー装置と接続され、前記制御部が前記お知らせ画面を報知するときに、前記サーバー装置から前記報知画面に報知する文言と前記画面設定情報を取得し、前記記憶部に記憶する情報取得部とを備える請求項２に記載の情報端末装置。
【請求項６】
情報端末装置は、前記電源部から前記情報端末装置に電力供給が行われているときに定期的に電気機器の状態を取得する第１の状態取得部を備える請求項１〜５のいずれか１項に記載の情報端末装置。
【請求項７】
電気機器と接続される情報端末装置において、前記情報端末装置が、前記情報端末装置に電力を供給する電源部と、前記電源部への供給が断たれた時に電力をバックアップする電池供給部と、報知部と、電気機器と所定の情報を通信する送受信部と、前記電気機器に異常が発生もしくは解消した場合に前記電気機器から送信される異常に関する情報を前記送受信部が受信した場合に異常発生お知らせ画面を前記報知部に表示されるもしくは消去する制御部と、電気機器の状態を問い合わせる第２の状態取得部とで構成され、前記情報端末装置への電力供給源が前記電池供給部から前記電源部に切り替わったときに前記第２の状態取得部が、前記電気機器に対して異常または故障の状態を問い合わせる情報端末装置。
【請求項８】
請求項１〜７のいずれか１項に記載の情報端末装置の少なくとも一部をコンピュータに実行させるプログラム。
【発明の詳細な説明】
【技術分野】
【０００１】
ネットワークに接続可能な情報端末装置を介して電気機器の異常または故障の発生を使用者に報知する電気機器システムの情報端末装置及びそのプログラムに関するものである。
【背景技術】
【０００２】
従来、この種の情報端末装置及びそのプログラムは、電気機器に異常や故障が発生すると情報端末装置に異常が発生したことを通知して、情報端末装置はその通知を受信すると情報端末装置が備えている報知部に異常発生をお知らせする画面等を表示して電気機器のトラブルを遠隔に離れた場所においても知らせている。また、今まで発生した異常が解消した場合にも冷蔵庫は異常が解消したことを通知して、情報端末装置はその通知を受信すると今まで報知していた画面を消去して通常の処理を行っている（例えば、特許文献１参照）。
【０００３】
図１０は、特許文献１に記載された従来の電気機器（ここでは冷蔵庫）と電気機器の異常をお知らせする装置（異常検出装置）を示すものである。図１０に示すように、冷蔵庫１００には、庫内の冷気を循環させるファン用のモーター（ファンモーター１０１）と冷蔵庫の異常検出、およびそのお知らせを行う異常検出装置１０２とを少なくとも備えている。また、異常検出装置１０２は電流検出部１０３と報知部１０４とを備えている。
【０００４】
また一方で、各家庭に設置される電気機器（冷蔵庫をはじめ、洗濯機、エアコン等）を情報端末装置に接続して各電気機器を情報端末装置から集中制御する電気機器ネットワークが提供されている。そうした場合には、異常検出装置１０３によって冷蔵庫１００の異常が検出された場合には、報知部１０４で異常のお知らせを行いながら冷蔵庫１００が情報端末装置に対して異常が発生したことを通知し、情報端末装置が異常発生のお知らせを行うサービスが提供されている。
【特許文献１】特開平１０−２５９９８１号公報
【発明の開示】
【発明が解決しようとする課題】
【０００５】
しかしながら、前記従来の構成では、少なくとも情報端末装置と冷蔵庫１００とで構成される電気機器システムに停電後復旧した場合に、つまり情報端末装置と冷蔵庫１００に電力が供給されなくなったあと電力供給が再開された場合に、情報端末装置には停電が発生した場合に電力を供給する２次電池を備えており、情報端末装置で動作中のプログラムを一時停止させないような仕組みになっているのに対して、冷蔵庫１００は停電が発生すると２次電池のような停電時に電力を供給するものを備えていないので冷蔵庫１００で動作していたプログラムが停止する。そうすると冷蔵庫１００は、停電が復旧して再度電力が供給された場合には今までの状態をクリアしてプログラムを再起動し、再び異常が発生していればその異常を検知し、報知部１０４での異常の報知と、情報端末装置に通知を行う。
【０００６】
ここで、冷蔵庫１００で発生する異常のいくつかにおいては異常を検知するために時間のかかるものがあり（例えば、ドア開放異常：ある一定時間冷蔵庫ドア開放中の場合に発生する）、また電力供給を一時遮断し、再度供給を開始することによって異常が解消される場合が発生する場合がある（例えば、アイスメカ（製氷ユニット）異常、アイスメカが作った氷によってアイスメカを駆動するモーターに異常を発生させたが、停電によって電力供給が停止したことによって冷蔵庫１００の冷却が一時停止するためその氷が融け異常が解消される）。またそうした場合において冷蔵庫１００は、停電復旧に伴って異常が発生していない状態でプログラムを起動するので異常が解消したことを情報端末装置通知することを行わない。
【０００７】
その為、上記異常が停電前に発生していて報知部１０４で報知中であり且つ、情報端末装置がその異常のお知らせ中である場合に停電発生・復旧した場合に冷蔵庫１００においては異常が発生していないのに対して情報端末装置は異常お知らせ中であるという状態の不整合を起こしてしまうという問題を発生していた。
【課題を解決するための手段】
【０００８】
前記従来の課題を解決するために、本発明の情報端末装置及びそのプログラムは、電気機器と接続される情報端末装置において、前記情報端末装置が、前記情報端末装置に電力を供給する電源部と、前記電源部からの供給が断たれた時に前記情報端末装置に電力を供給する電池供給部と、報知部と、前記電気機器と所定の情報を通信する送受信部と、前記電気機器に異常が発生もしくは解消した場合に前記電気機器から送信される異常に関する情報を前記送受信部が受信した場合に異常発生お知らせ画面を前記報知部に表示されるもしくは消去する制御部とで構成され、前記情報端末装置への電力供給源が切り替わった時に前記制御部が、前記報知部に表示されている前記お知らせ画面を消去するようにすることにより、前記冷蔵庫のプログラムの再起動に伴って異常もしくは故障が解消した場合に前記情報端末装置の報知部の画面と前記冷蔵庫の状態の不整合を解消することができる。また、再起動に行っても発生し続けている異常もしくは故障についても再起動後の冷蔵庫のプログラムによって検知され前記情報端末装置に通知されるので解消されなかった異常が前記情報端末装置で報知されないということはない。
【発明の効果】
【０００９】
本発明の情報端末装置及びそのプログラムは、停電状態から復旧した場合において電気機器の状態と整合性の取れた異常お知らせを行うことのできる。
【発明を実施するための最良の形態】
【００１０】
第１の発明は、電気機器と接続される情報端末装置において、前記情報端末装置が、前記情報端末装置に電力を供給する電源部と、前記電源部からの供給が断たれた時に前記情報端末装置に電力を供給する電池供給部と、報知部と、前記電気機器と所定の情報を通信する送受信部と、前記電気機器に異常が発生もしくは解消した場合に前記電気機器から送信される異常に関する情報を前記送受信部が受信した場合に異常発生お知らせ画面を前記報知部に表示されるもしくは消去する制御部とで構成され、前記情報端末装置への電力供給源が切り替わった時に前記制御部が、前記報知部に表示されている前記お知らせ画面を消去するようにすることにより、前記電気機器のプログラムの再起動に伴って異常もしくは故障が解消した場合に前記情報端末装置の報知部の画面と前記電気機器庫の状態の不整合を解消することができる。
【００１１】
第２の発明は、特に、第１の発明の情報端末装置が前記電源部から電力の供給が断たれた場合に報知している前記お知らせ画面を消去するか否かを示すお知らせ画面設定情報を記憶する記憶部を備え、前記制御部は前記電源部から電力の供給が断たれた時に前記記憶部から前記画面設定情報を読み出し、前記画面設定情報に基づいて前記お知らせ画面を制御するにすることによって、例えば検知に時間のかかる異常もしくは故障について停電復旧時の電気機器の状態と前記報知部との内容の整合性を保つことができる。
【００１２】
第３の発明は、特に、第２の発明の情報端末装置が前記電気機器と通信可能にするために前記電気機器に識別子を設定する登録部と、前記報知部で報知する異常に関する前記画面設定情報を前記電気機器より取得し、前記記憶部に記憶する第１の設定情報取得部とを備え、前記登録部が前記電気機器に識別子を割り当てると第１の設定情報取得部が、前記報知部で報知する異常に関する前記画面設定情報を前記電気機器より取得し前記記憶部に記憶することで使用者ごとに使用している電気機器の前記画面設定情報だけを前記記憶部に記憶しておけばいいので余計な情報（他の機種の前記画面設定情報）を記憶しておく必要がなくなる。
【００１３】
第４の発明は、特に、第２の発明の情報端末装置がサーバー装置と接続され、更に前記電気機器と通信可能にするために前記電気機器に識別子を設定する登録部と、前記報知部で報知する全ての異常に関する前記画面設定情報を前記サーバー装置より取得し、前記記憶部に記憶する第２の設定情報取得部とを備え、前記登録部が前記電気機器に識別子を割り当てると第２の設定情報取得部が、前記報知部で報知する異常に関する前記画面設定情報を前記サーバー装置より取得し前記記憶部に記憶することで、使用者ごとに使用している電気機器の前記画面設定情報だけを前記記憶部に記憶しておけばいいので余計な情報（他の機種の前記画面設定情報）を記憶しておく必要がなり、その上サーバー装置に前記画面設定情報を記憶しているので前記電機器及び情報端末装置が発売された後にもその情報を変更することができる。
【００１４】
第５の発明は、特に、第２の発明の情報端末装置がサーバー装置と接続され、前記制御部が前記お知らせ画面を報知するときに、前記サーバー装置から前記報知画面に報知する文言と前記画面設定情報を取得し、前記記憶部に記憶する情報取得部とを備えるようにすることにより報知しようとしている以上についての前記画面設定情報のみを前記記憶部に記憶しているので登録している電気機器の異常に対する画面設定情報を取得する必要がなくなり前記記憶部の容量を小さくすることができる。
【００１５】
第６の発明は、特に、第１から第５のいずれか１つの発明の情報端末装置は、前記電源部から前記情報端末装置に電力供給が行われているときに定期的に電気機器の状態を取得する第１の状態取得部を備えることによって、停電時から復旧した時には電気機器に限らず電気機器の状態が一度に変化することになるため、複数の電気機器と接続されている情報端末装置においてはこのように停電復旧した場合には電気機器との通信が頻繁になる。そのため前記電気機器から前記情報端末装置への異常発生の通知を取得できないかった場合の使用者に異常及び故障のお知らせ表示に失敗することを防止することができる。
【００１６】
第７の発明は、電気機器と接続される情報端末装置において、前記情報端末装置が、前記情報端末装置に電力を供給する電源部と、前記電源部への供給が断たれた時に電力をバックアップする電池供給部と、報知部と、電気機器と所定の情報を通信する送受信部と、前記電気機器に異常が発生もしくは解消した場合に前記電気機器から送信される異常に関する情報を前記送受信部が受信した場合に異常発生お知らせ画面を前記報知部に表示されるもしくは消去する制御部と、電気機器の状態を問い合わせる第２の状態取得部とで構成され、前記情報端末装置への電力供給源が前記電池供給部から前記電源部に切り替わったときに前記第２の状態取得部が、前記電気機器に対して異常または故障の状態を問い合わせることによって停電に伴う電気機器のプログラムの再起動によって異常もしくは故障が解消されたかどうかを直接前記電気機器に問い合わせて前記報知部に表示している内容と整合が取れているかどうか確認を行うので前記電気機器の状態と報知部の内容との不整合が発生することを防止できる。
【００１７】
第８の発明は、特に、第１から第７のいずれか１つの発明の情報端末装置の機能の少なくとも一部をコンピュータで実現するプログラムである。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明の情報端末装置の少なくとも一部を容易に実現することができる。また記録媒体に記録したり通信回線を用いてプログラムを配信したりすることでプログラムの配布やインストール作業が簡単にできる。
【００１８】
以下、本発明の実施の形態について、図面を参照しながら説明する。なお、この実施の形態によって本発明が限定されるものではない。
【００１９】
（実施の形態１）
図１から図６は、この発明に係る情報端末装置の第１の実施の形態を示す図である。図１は本発明の情報端末装置を含んでいる電気機器ネットワークシステムのシステム構成図、図２は同システムの各構成装置の機能を示した機能ブロック図である。まず図１と図２を用いて本実施の形態の概要を説明する。
【００２０】
図１において、本発明の情報端末装置を含む電気機器ネットワークシステムは、電気機器１００と、電気機器１００と接続される第１のネットワーク１５０と、第１のネットワーク１５０と接続される情報端末装置２００と、情報端末装置２００と接続される第２のネットワーク２５０と、第２のネットワーク２５０と接続されるサーバー３００とで構成されている。
【００２１】
電気機器としては本実施の形態においては、電気機器として主に冷蔵庫１００について説明するが、このネットワークには、電気機器としてエアコン１２０や洗濯機１３０を含んでいるものとする。なお、電気機器は冷蔵庫１００に限定されるものではなく、エアコン１２０や洗濯機１３０、電子レンジ、給湯器など家電機器・設備機器であってもかまわない。
【００２２】
第１のネットワーク１５０として、同一宅内の電気機器１００と情報端末装置２００とは無線を媒体として利用する構成で、電気機器１００と情報端末装置２００それぞれに無線通信ユニット１５１と１５２を設けている。具体的にいうとエコーネット（Ｒ）の家庭内無線ネットワークを想定している。なお、通信媒体に無線を利用構成としたが、電線や電源ラインにデータを重畳させる電灯線通信など有線であっても構わない。
【００２３】
第２のネットワーク２５０として、インターネットや公衆回線網などを想定し、第２のネットワーク２５０を介して、宅外に設置されているサーバー３００と情報端末装置２００とが接続される。
【００２４】
図２において、冷蔵庫１００は、動作する（主に食品等を冷やす）ために必要な電力を供給する電源部１１１と第１のネットワークに接続可能とする送受信部１１２と、異常を検知する異常検知部１１３と報知部１１４と異常検知部１１３が異常を検知した場合に送受信部１１２を介して情報端末装置２００に異常が発生したことを通知し、更に報知部１１４で異常発生の通知を行う制御部１１５と記憶部１１６で構成されている。冷蔵庫１００で発生する異常（異常検知部１１３で検知する異常）全てについて、異常ごとにコード（異常コード）が割り当てられていて、記憶部１１６には発生した異常とその異常コードを関連付けて記憶している。また、報知部１１４はその異常コードを表示する。なお、冷蔵庫１００本体での異常報知については制御部１１５で音声やブザー音を再生するようにしてもよい。また、異常検知部１１３が検知していた異常が解消された場合には、制御部１１５は情報端末装置２００に送受信部１１２を介して異常解除の通知を送信し、報知部１１４での報知を終了する。
【００２５】
情報端末装置２００は、前記第１のネットワークと接続可能とする第１の送受信部２０１と、前記第２のネットワークと接続可能とする第２の送受信部２０２と、動作するために必要な電力を供給する電源部２０３と、電源部２０３からの電力が遮断された場合に情報端末装置２００に電力を供給する電池供給部２０４と、少なくとも電源部２０３の電圧を監視する電源監視部２０５と、報知部２０６と、冷蔵庫１００から異常発生の通知を第１の送受信部２０１を介して受信した場合に、第２の送受信部２０２を介して第１の送受信部２０１が受信した冷蔵庫１００で発生した異常に関する情報をサーバー３００に送信して、サーバー３００から送信されてくる使用者に報知する情報を受信し、報知部２０６に報知する制御部２０７と情報端末装置２００の電力供給源が電源部２０３である場合に定期的（本実施の形態では１時間に１回）冷蔵庫１００の状態を第１の送受信部を介して取得する第１の状態取得部２０８で構成されている。
【００２６】
なお、電源部２０３とは、本実施の形態においては、家庭用電源（ＡＣ１００Ｖ）を情報端末装置２００が動作するために必要な電圧（ＤＣ１２Ｖ）に変換して電力を供給するものであり、電源監視部２０５は、監視している電源部２０３の電圧が停電等で、供給電圧が規定の電圧値より下回った場合に電池供給部２０４に電源を切り替え、停電復旧で電源部２０３から電力が供給され規定の電圧値を上回った場合には、電源部２０３に再度電源の切り替え替えを行う。
【００２７】
また報知部２０６は、本実施の形態においては画面を表示する液晶ディスプレイ（図１で２４１）を想定しており情報端末装置２００の使用者に画面にて所定の情報を報知する。更に制御部２０７は冷蔵庫１００で発生していた異常が解消され第１の送受信部を介して冷蔵庫から異常解消の情報を受信すると報知部２０６で報知していた異常発生の報知（お知らせ）を中止する（本実施の形態においては、異常通知画面を消去する）。
【００２８】
サーバー３００は、第２のネットワークと接続可能とする送受信部３０１と、情報端末装置２００で報知する異常お知らせ情報を記憶する異常お知らせ情報記憶部３０２とで少なくとも構成されている。異常お知らせ情報記憶部３０２には冷蔵庫１００で発生する異常ごとに情報端末装置２００で報知する文言が記憶されているものとする。
【００２９】
次に図４のフローチャートを用いて本実施の形態の情報端末装置２００の動作を説明する。図４において冷蔵庫１００から異常発生の通知を第１の送受信部２０１が受信する（Ｓ３０１）（詳細に説明すると異常検知部１１３の冷蔵庫１００の異常を検知し、制御部１１５が送受信部１１２を介して異常発生通知を行い、その通知を第１の送受信部２０１が受信する）。そうすると、制御部２０７は第１の送受信部２０１を介してこの異常通知を受信すると冷蔵庫１００に対して発生した異常コードを問い合わせする（Ｓ３０２）。冷蔵庫１００よりステップ（Ｓ３０２）の問い合わせの応答（現在発生中の異常の異常コード）を受信すると（Ｓ３０３）、制御部２０７は、取得した異常コードが既に報知部２０６で報知中の異常コードであるかの判別を行い（Ｓ３０４）、報知中でない異常コードを受信するとその異常コードを第２の送受信部２０２を介して送信し報知部２０６で報知する文言をサーバー３００に問い合わせる（Ｓ３０５）。そしてサーバー３００より報知部２０６で報知する文言を第２の送受信部２０２が受信する（Ｓ３０６）。
【００３０】
ステップ（Ｓ３０５）においてサーバー３００に送信される情報は、図５（ａ）に示すように異常コードとその異常が発生している冷蔵庫１００のメーカーコードと品番を示す商品コードを併せて送信する。サーバー３００は送信されてきた異常コード、メーカーコード、商品コードを元にして情報端末装置２００で報知する文言を異常お知らせ情報記憶部３０２から検索して対応する文言を送信する。また、ステップ（Ｓ３０６）でサーバー３００より受信する情報は、上記説明した送信した情報（異常コード、メーカーコード、商品コード）に対応した文言と、その文言の長さの情報である。図５（ｂ）にはそのデータを示す。
【００３１】
次に制御部２０７は、ステップ（Ｓ３０６）で受信した文言の長さの情報からその長さが０であるか否かを判別して（Ｓ３０７）、文言の長さが０（あるいは所定値以下）である場合には、報知部２０６でその異常を報知することを実施しない。１（あるいは所定値）以上である場合には、報知部２０６で取得した文言を報知する（Ｓ３０８）。ステップ（Ｓ３０４）からステップ（Ｓ３０８）の処理を発生した数分だけ繰り返すと（Ｓ３０９）使用者に異常発生のお知らせを行うことができる。
【００３２】
図６には報知部２０６で報知される画面の一例を示す。発生した異常のお知らせを中止する理由は、冷蔵庫１００本来の動作としては問題ない異常（例えば、販売当初に補助的に設置した装置の異常）を報知部２０６で報知すると使用者に不安を与えてしまうことを防止するためである（この異常については冷蔵庫１００の報知部１１４での報知も行わない）。なお、本実施の形態では報知部２０６で報知するか否かを文言の長さで判別していたが、サーバー３００から報知するか否かを示す情報を送信するようにしてもよい（例えば、文言の情報と、文言の長さの情報と、表示・非表示を示すフラグの情報がサーバー３００より送信されるようにする）。
【００３３】
以上のような構成で、冷蔵庫１００で発生した異常のお知らせを情報端末装置２００で行うと冷蔵庫１００の近くにいなくとも発生した異常を確認できるとともに、サーバー３００で発生した異常の履歴を管理することができるのでその履歴情報を確認することで冷蔵庫１００の製造会社が異常発生状況を確認することができ、報知部２０６で報知する内容についても冷蔵庫１００の販売後でも変更することが可能である。
【００３４】
なお、報知部２０６で報知する内容については情報端末装置２００が予め報知内容を記憶する記憶部を備えておいてその記憶部を異常発生時に読み出し所定の情報を報知部２０６にて報知するようにしても構わない。
【００３５】
また、冷蔵庫１００で上記発生異常が解消された場合に第１の送受信部で異常解消の通知を受信した場合には報知部２０６で報知している異常お知らせを中止する。しかし、異常解消の通知を受信する前に停電が発生し、電源監視部２０５で電源部２０３から供給される電圧値が規定値より小さくなった場合には（Ｓ３１０）、電源監視部２０５は電力供給源を電池供給部２０４に変更し（Ｓ３１１）、制御部２０７は報知部２０６で報知中の異常お知らせ画面を消去する（Ｓ３１２）、ステップ（Ｓ３１２）の処理を現在報知部２０６で発生お知らせ画面報知中の異常の数分だけ繰り返すことによって（Ｓ３１３）異常お知らせ画面を消去することができる。一方、冷蔵庫１００では、停電が発生すると電源部１１１から電力供給が遮断されるため動作中の冷蔵庫１００のプログラムを終了する。
【００３６】
更に停電が復旧し、情報端末装置２００において再度電源部２０３から電力供給が再開された場合に電源監視部２０５が電源部２０３から供給される電圧値が規定値より大きくなったことを検知すると（Ｓ３１４）、電源監視部２０５は電力供給源を電池供給部２０４から電源部２０３に変更する（Ｓ３１５）。一方、冷蔵庫１００では、電源部１１１から電力供給が再開されるために終了していたプログラムを起動させる。その際、冷蔵庫１００は初期化された状態（異常が発生していない状態）で起動する。しかし、冷蔵庫１００では異常が発生した状態にあるにも関わらず初期化された状態でプログラムを起動させるので停電発生から停電復旧した場合には、何もない状態では異常が解消すると情報端末装置２００に異常解消の通知を送信しないが、報知部１１４での異常報知は終了する。
【００３７】
このため、ドア開放異常（図３において異常コード：Ｕ１０）が発生中で停電発生から停電復旧した場合であっても冷蔵庫１００と情報端末装置２００とで異常報知の状態が食い違うことがない（ここでドア開放異常はある一定時間（Ｎ分以上）ドアが開放中であった場合にのみ発生する異常である）。つまり、ドア開放異常に関わらず異常の検知に時間のかかる異常についても同様のことがいえる。
【００３８】
一方、停電前に異常Ａ（図３において異常コード：Ｈ０１）が発生して停電復旧した場合には（この異常については検知に時間がかからない）、冷蔵庫１００は停電復旧に伴い一旦異常が解消したものと認識し、その後異常Ａを異常検知部１１３で検知することとなるので情報端末装置２００に異常発生通知を送信することになるので情報端末装置２００は第１の送受信部２０１を介して受信した場合には（Ｓ３１６）、ステップ（Ｓ３０２）からステップ（Ｓ３０９）の処理を行う。
【００３９】
なお、停電復旧時には、冷蔵庫１００以外にも情報端末装置２００に接続された電気機器（エアコン１２０、洗濯機１３０）と情報端末装置２００との通信も頻繁に行われることになるので冷蔵庫１００からの異常発生通知を第１の送受信部２０１が受信できない場合もある。そのため、通常時（電力供給源が電源部２０３である場合）に定期的（たとえば１時間に１回）に（Ｓ３１６）第１の状態取得部２０８が冷蔵庫１００に異常状態を問い合わせ（Ｓ３１８）、異常状態であれば（Ｓ３１９）、ステップ（Ｓ３０２）からステップ（Ｓ３０９）の処理を行う。
【００４０】
また、情報端末装置が異常（または故障）報知をしていて停電復旧した場合に、情報端末装置から機器側にその異常内容を示す情報を送信してもよい。機器側はこの情報を受信してその異常内容の検知を優先的・短期間的に行わせる。例えば、冷蔵庫のドア開放中の検出を通常２０秒とする。停電前にドア開放中の報知を行っていて、停電復帰時に情報端末装置からその報知の情報を受信した冷蔵庫は、ドア開放中の検出を通常時間の半分の１０秒として、短時間に異常報知を復帰させるなどである。
【００４１】
このように、電池供給部を備えて停電時も動作する情報端末装置を、停電時の情報のバックアップ的な利用することができる。使用者は情報端末装置によって、停電中であっても、各家電機器の停電前の運転状態・異常状態を知ることができ、必要とあれば情報端末装置を操作することで停電復帰時の異常・故障検出の予約動作を行うことも可能となる。
【００４２】
以上のように、本実施の形態においては、停電発生時に報知中の異常発生お知らせ画面を消去することによって冷蔵庫１００と情報端末装置２００とで異常報知の状態が食い違うことを防止する。
【００４３】
なお、本実施の形態において情報端末装置２００が、以下に示すような処理を行うようにしている。
１．第１の状態取得部２０８を備え、停電発生時、もしくは停電復旧時にそれまで報知中の以上お知らせ画面を消去する。
２．定期的に異常状態を冷蔵庫１００に問い合わせる。
【００４４】
しかし、１、２の処理を行わないで新たに以下の３の処理を行うようにしてもよい。
３．停電復旧時にのみ１回もしくは複数回、冷蔵庫１００に異常状態を問い合わせる第２の状態取得部を備え、異常が発生しているか及び異常が解消しているか否か問い合わせを行い新たに発生している異常があれば制御部２０７が報知部２０６にその異常のお知らせ画面を報知させ、また、解消している異常があれば、その異常のお知らせ画面を消去する。
【００４５】
（実施の形態２）
図７から図９は、この発明に係る情報端末装置の第２の実施の形態を示す図である。図７は同システムの各構成装置の機能を示した機能ブロック図である。
【００４６】
図７において本実施の形態１と比べて冷蔵庫１００は記憶部１１６と入力部１１７を備えるものとし、情報端末装置２００は冷蔵庫１００及びその他の電気機器（エアコン１２０、洗濯機１３０等）と通信可能とする機器登録部２０９と記憶部２１０と入力部２１１と第１の設定情報取得部２１２を備えるものとする。なお、記憶部１１６には、停電発生時もしくは停電復旧時に異常発生お知らせ画面を消去するか否かを示す画面設定情報と情報端末装置２００より設定される所定の情報を記憶するものとする。
【００４７】
機器登録部２０９が電気機器（例えば冷蔵庫１００）と通信可能とする機器登録処理について説明する。
【００４８】
まず、電気機器１００を情報端末装置２００と通信可能とするために両装置を機器登録処理モードにすると機器登録部２０９は冷蔵庫１００に自分と通信可能状態である電気機器かどうか識別する識別子を第１の送受信部を介して割り振る。冷蔵庫１００の制御部１１５は、記憶部１１６に記憶する。以降、送受信部１１２は送信する情報にこの割り振られた識別子を付加して情報端末装置２００に送信するものとする。
【００４９】
さらに情報端末装置２００の第１の送受信部２０１もこの識別子をもとに通信すべき機器かどうか判断する（本実施の形態において、冷蔵庫１００は、情報端末装置２００と必ず通信するものであるので、第１の送受信部２０１における識別子の判断については説明していない）。
【００５０】
なお、両装置が登録処理モードになるきっかけは、両装置が備えている入力部（１１７，２１１）に予め設定されている入力を行うことによってこの処理を行うものとする。この登録処理モードになった時に第１の設定情報取得部２１２は冷蔵庫１００より冷蔵庫の記憶部１１６に記憶されている画面設定情報を取得しその情報を情報端末装置２００の記憶部２１０に記憶する。
【００５１】
図８に記憶部２１０に記憶される（冷蔵庫１００の記憶部１１６に記憶される）画面設定情報を記す。図８に示すように異常コードと対応して、もしその異常についての報知画面が報知中に停電発生した場合にその画面を消去するかどうかを示すフラグ情報が記憶されている。
【００５２】
次に図９のフローチャートを用いて本実施の形態における機器登録処理時に取得した画面設定情報を元に報知部２０６に報知中の画面を消去する処理について説明する。本実施の形態の情報端末装置２００の動作フローは、実施の形態１の一部を変更したものであるため図９にはその変更箇所のみを示す。なお、変更箇所については図３のステップ（Ｓ３１２）の処理で、その部分を図９のフローに置き換える。
【００５３】
図３のステップ（Ｓ３１１）で電源監視部２０５が電力供給源を電池供給部２０４に変更すると、制御部２０７は記憶部２１０より画面設定情報を読み出し（Ｓ３１２ａ）異常お知らせ画面を消去しようとしている異常について画面設定情報のフラグ情報が消去であるかどうかを判別して（Ｓ３１２ｂ）、消去するであればその異常お知らせ画面を消去する（Ｓ３１２ｃ）。それを報知部２０６で報知中の異常の数分だけ行えばよい。なお、実施の形態１でも説明したが停電復旧時に以上のような処理を行うようにしてもよい。
【００５４】
以上のように、本実施の形態においては、機器登録処理中に停電発生時に異常お知らせ画面を消去するか否かを示す情報を記憶部２１０に記憶し、その情報を停電発生時に読み出してその情報を元に異常お知らせ画面を消去することによって特定の異常（異常検知に時間のかかる異常）お知らせ画面のみを消去することができ、冷蔵庫１００と情報端末装置２００とで異常報知の状態が食い違うことがない。また、予め情報端末装置２００の記憶部２１０に記憶させておくようにしてもよいがその場合には、情報端末装置２００に接続される全ての冷蔵庫についての画面設定情報を記憶しておく必要があるので記憶部２１０の容量をその分だけ多く備えておく必要がる。本実施の形態のように機器登録するものだけを記憶部２１０に記憶させるようにしておけば、記憶部２１０の容量を小さくすることができる。
【００５５】
なお、この画面設定情報は冷蔵庫１００より取得するのではなくて、サーバー３００より機器登録時に取得するようにしてもよい（その際には、第２の設定情報取得部を情報端末装置２００は備えるものとする）。そうすれば、冷蔵庫１００を販売後においても画面設定情報を変更することができる。更に実施の形態１でサーバー３００から報知部２０６で報知する文言を取得するとき（図４のステップ（Ｓ３０６））に報知する文言等と一緒にその異常について停電発生時に報知画面を消去するかどうかを示すフラグ情報を取得し記憶部２１０に記憶するようにすれば、冷蔵庫１００で発生する全ての画面設定情報を記憶部２１０に記憶する必要がなくなるので記憶部２１０の容量を更に小さくすることができる（その際には第３の設定情報取得部を情報端末装置２００は備えるものとする）。
【００５６】
また、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００５７】
以上のように、本発明にかかる情報端末装置及びそのプログラムは、冷蔵庫で報知している異常情報と家電ネットワークで接続されている情報端末装置の報知部で報知している異常情報とが停電復旧時にも整合させることができるので、冷蔵庫に限らずエアコンや洗濯機など家電機器の異常発生報知にも有用である。また異常だけでなく家電機器の状態報知にも有用である。
【図面の簡単な説明】
【００５８】
【図１】本発明の実施の形態１におけるシステム構成図
【図２】本発明の実施の形態１における機能ブロック図
【図３】本発明の実施の形態１における冷蔵庫の異常と異常コードを示す図
【図４】本発明の実施の形態１における情報端末装置の動作を示すフローチャート
【図５】（ａ）本発明の実施の形態１における情報端末装置からサーバーに通信するデータを示す図（ｂ）本発明の実施の形態１におけるサーバーから情報端末装置に通信するデータを示す図
【図６】本発明の実施の形態１における異常お知らせ画面図
【図７】本発明の実施の形態１における機能ブロック図
【図８】本発明の実施の形態２における冷蔵庫の異常コードと画面設定情報を示す図
【図９】本発明の実施の形態２における部分フローチャート
【図１０】従来の異常検出装置の機能ブロック図
【符号の説明】
【００５９】
１００  冷蔵庫
１０１  ファンモーター
１０２  異常検出装置
１０３  電流検出部
１０４  報知部
１１１  電源部
１１２  送受信部
１１３  異常検知部
１１４  報知部
１１５  制御部
１１６  記憶部
１１７  入力部
１２０  エアコン
１３０  洗濯機
１５０  第１のネットワーク
１５１  無線通信ユニット
１５２  無線通信ユニット
２００  情報端末装置
２０１  第１の送受信部
２０２  第２の送受信部
２０３  電源部
２０４  電池供給部
２０５  電源監視部
２０６  報知部
２０７  制御部
２０８  第１の状態取得部
２０９  機器登録部（登録部）
２１０  記憶部
２１１  入力部
２１２  第１の設定情報取得部
２４１  液晶ディスプレイ
２５０  第２のネットワーク
３００  サーバー
３０１  送受信部
３０２  異常お知らせ情報記憶部
【図１】
2005242860.tif 000003
【図２】
2005242860.tif 000004
【図３】
2005242860.tif 000005
【図４】
2005242860.tif 000006
【図５】
2005242860.tif 000007
【図６】
2005242860.tif 000008
【図７】
2005242860.tif 000009
【図８】
2005242860.tif 000010
【図９】
2005242860.tif 000011
【図１０】
2005242860.tif 000012